(57)【要約】【課題】ジェスチャを追跡及び記録することにカーソル指向装置、例えばマウス等が使用されるが、コマンド制御データ入力用に追加的携帯要素を必要とする。更には、これらの装置の動き検知要素は、スタイラス、ペン、マウス等の相対移動にのみ依存する。従って、携帯装置自体を使用するシステムを提供することが望ましい。【解決手段】携帯装置に対して複雑なコマンド制御及びデータ入力を行うための動き検知の使用が開示される。動きセンサは、携帯装置に埋設されるか固定的に取り付けられ、携帯装置がエアーライトするか、ジェスチャをすることに使用されるときに、装置の移動、動き又は傾斜を１，２又は３次元で測定する。機能及びコマンドを行うための全動き情報、例えば動き又は傾斜角の変化率の使用もまた開示される。加えて、携帯装置用の検索基準及びフィルタスキームを入力して、種々のデータ、ファイル及び情報を管理、検索、及び分類するためのエアーライティングの使用が開示される。【選択図】図２
2007207228.tif 000002
【特許請求の範囲】
【請求項１】
携帯装置用の制御コマンドを起動するための動き検知装置であって、
携帯装置の１，２又は３軸の動き又は移動と、
携帯装置の移動の大きさ又は量と、
携帯装置の移動の変化率と
を検知するか検出するために構造化及び配置されていることを特徴とする動き検知装置。
【請求項２】
動き検知装置は、携帯装置に埋設されるか固定的に取り付けられている請求項１に記載の動き検知装置。
【請求項３】
動き検知装置は、動きを熱的に、電気的に、機械的に、又は光学的に検出することができる装置である請求項１に記載の動き検知装置。
【請求項４】
動き検知装置は、加速度計、歪みゲージ、圧電素子、ピエゾ抵抗素子、容量素子、機械的スイッチ、ボール・チューブ装置、ジャイロスコープ、コンパス、磁気装置、光学装置、及び赤外線装置からなる群から選択されたものである請求項３に記載の動き検知装置。
【請求項５】
携帯装置は、ワイヤレス装置、移動電話、コードレス電話、テキストメッセージ装置、デジタルポケットベル、トーク無線機、携帯ナビゲーションシステム、携帯音楽プレーヤ、携帯ビデオプレーヤ、携帯マルチメディアプレーヤ、携帯情報端末（ＰＤＡ）、携帯ゲーム機からなる群から選択されたものである請求項１に記載の動き検知装置。
【請求項６】
動き検知装置は、ジェスチャかエアーライティングに由来する動き又は移動を検知するために構造化及び配置されている請求項１に記載の動き検知装置。
【請求項７】
携帯装置の移動の変化率は、傾斜角の変化率である請求項１に記載の動き検知装置。
【請求項８】
携帯装置にデータを入力するための動き検知装置であって、
携帯装置の１，２又は３軸の動き又は移動と、
携帯装置の移動の大きさ又は量と、
携帯装置の移動の変化率と
を検知するか検出するために構造化及び配置されていることを特徴とする動き検知装置。
【請求項９】
動き検知装置は、ジェスチャかエアーライティングに由来する動き又は移動を検知するために構造化及び配置されている請求項８に記載の動き検知装置。
【請求項１０】
携帯装置の移動の変化率は、傾斜角の変化率である請求項８に記載の動き検知装置。
【請求項１１】
動き検知を使用して携帯装置を制御するためのシステムであって、
携帯装置の動き又は移動、携帯装置の移動の大きさ又は量、及び携帯装置の移動の変化率を検知するか検出するために構造化及び配置された動き検知装置と、
動き検知装置から送信された動きデータ信号を受信するデータ収集ユニットと、
予め設定された動きデータを格納するためのメモリと、
データ収集ユニットから送信されたフィルタ処理後の信号を分析し、動き又は移動の特徴を識別し、フィルタ処理後の信号の動き又は移動の特徴を、メモリに格納されている予め設定された動きデータと比較し、フィルタ処理後の信号の動き又は移動の特徴が、予め設定された動きデータと一致したときに、予め設定された動きデータに関連した適切な出力コマンドを自動的に実行する制御ユニットと
を備えることを特徴とするシステム。
【請求項１２】
動き検知装置は、携帯装置に埋設されるか固定的に取り付けられている請求項１１に記載のシステム。
【請求項１３】
動き検知装置は、動きを熱的に、電気的に、機械的に、又は光学的に検出することができる装置である請求項１１に記載のシステム。
【請求項１４】
動き検知装置は、加速度計、歪みゲージ、圧電素子、ピエゾ抵抗素子、容量素子、機械的スイッチ、ボール・チューブ装置、ジャイロスコープ、コンパス、磁気装置、光学装置、及び赤外線装置からなる群から選択されたものである請求項１３に記載のシステム。
【請求項１５】
動き検知装置は、ジェスチャかエアーライティングに由来する動き又は移動を検知するために構造化及び配置されている請求項１１に記載のシステム。
【請求項１６】
携帯装置の移動の変化率は、傾斜角の変化率である請求項１１に記載のシステム。
【請求項１７】
データ収集ユニットは、動きデータ信号から動き又は移動の特徴を持つ所望の信号を分離するフィルタ処理部を有する請求項１１に記載のシステム。
【請求項１８】
動き検知を使用して携帯装置にデータを入力するためのシステムであって、
携帯装置の動き又は移動、携帯装置の移動の大きさ又は量、及び携帯装置の移動の変化率を検知するか検出するために構造化及び配置された動き検知装置と、
動き検知装置から送信された動きデータ信号を受信するデータ収集ユニットと、
予め設定された動きデータを格納するためのメモリと、
データ収集ユニットから送信されたフィルタ処理後の信号を分析し、動き又は移動の特徴を識別し、フィルタ処理後の信号の動き又は移動の特徴を、メモリに格納されている予め設定された動きデータと比較し、フィルタ処理後の信号の動き又は移動の特徴が、予め設定された動きデータと一致したときに、自動的にデータを適切なメモリに入力する制御ユニットと
を備えることを特徴とするシステム。
【請求項１９】
動き検知装置は、ジェスチャかエアーライティングに由来する動き又は移動を検知するために構造化及び配置されている請求項１８に記載のシステム。
【請求項２０】
携帯装置の移動の変化率は、傾斜角の変化率である請求項１８に記載のシステム。
【請求項２１】
携帯装置の動き又は移動を使用することにより携帯装置を制御して制御動作を行う方法であって、
動き送り装置を携帯装置内に設置又は埋設する工程と、
それぞれが独得に別々の制御動作に関連した複数の予め設定された移動、動き又はジェスチャを与える工程と、
携帯装置の動き、移動、及び移動又は動きの変化率を動き検知装置で検出する工程と、
検出された動き、移動、及び移動又は動きの変化率を前記複数の予め設定された動きと比較する工程と、
検出された動き、移動、及び移動又は動きの変化率に関連した別々の制御動作を起動する工程と
を備えることを特徴とする方法。
【請求項２２】
動き、移動、及び動きの変化率を前記複数の予め設定された動きと比較する工程の前に、動き、移動、及び動きの変化率をフィルタ処理する工程を更に備え、望ましくない雑音を除去する請求項２１に記載の方法。
【請求項２３】
動き、移動、及び移動又は動きの変化率を検出する工程は、動き、移動及びジェスチャかエアーライティングに由来する移動又は動きの変化率を検知する工程を含む請求項２１に記載の方法。
【請求項２４】
移動又は動きの変化率を検出する工程は、携帯装置の傾斜角の変化率を検出する工程を含む請求項２１に記載の方法。
【請求項２５】
携帯装置の動き又は移動を使用することにより携帯装置にデータを入力して制御動作を行う方法であって、
動き検知装置を携帯装置内に設置又は埋設する工程と、
それぞれが独得に別々の制御動作に関連した複数の予め設定された移動、動き又はジェスチャを与える工程と、
携帯装置の動き、移動、及び移動又は動きの変化率を動き検知装置で検出する工程と、
検出された動き、移動、及び移動又は動きの変化率を前記複数の予め設定された動きと比較する工程と、
検出された動き、移動、及び移動又は動きの変化率に関連した別々の制御動作を起動する工程と
を備えることを特徴とする方法。
【請求項２６】
動き、移動、及び動きの変化率を前記複数の予め設定された動きと比較する工程の前に、動き、移動、及び動きの変化率をフィルタ処理する工程を更に備え、望ましくない雑音を除去する請求項２５に記載の方法。
【請求項２７】
動き、移動、及び移動又は動きの変化率を検出する工程は、動き、移動及びジェスチャかエアーライティングに由来する移動又は動きの変化率を検知する工程を含む請求項２５に記載の方法。
【請求項２８】
移動又は動きの変化率を検出する工程は、携帯装置の傾斜角の変化率を検出する工程を含む請求項２５に記載の方法。
【発明の詳細な説明】
【技術分野】
【０００１】
［関連出願との相互参照］
この出願は、２００６年２月１日に出願された仮特許出願第６０／７６４，０２２号の利益を主張し、この仮特許出願は完全に参照によってここに組み入れられる。
［連邦補助研究または開発に関する表明］
適用なし
【０００２】
１．発明の分野
本発明は、携帯装置に対して複雑なコマンド制御及びデータ入力を行うための動き検知の使用、特に機能及びコマンドを行うための全動き情報、例えば動き又は傾斜角の変化率の使用を開示する。
【背景技術】
【０００３】
２．関連技術の要約
携帯装置と、特に、排他的ではないが、携帯ワイヤレス装置、例えば移動電話、コードレス電話、テキストメッセージ装置、ポケットベル、トーク無線機、携帯ナビゲーションシステム、携帯音楽プレーヤ、携帯ビデオプレーヤ、携帯マルチメディアプレーヤ、携帯情報端末（ＰＤＡ）、携帯ゲーム機等は、日常的な生活で使用される。従来、携帯装置へのユーザコマンド入力及びデータ入力は、入力装置、例えば、キーボード入力、ボタン押し動作、又はスタイラスやデジタルペンを用いた手書き動作を使用して行われていた。携帯装置が一層複雑化されると、伝統的なボタンや手書き入力は、その装置に対し効率的に命令したり情報入力することに不十分であるか、あるいはデータが厄介過ぎてそのように迅速に行うことができない欠点がある。
【０００４】
携帯装置自体を移動させる動きセンサ、例えば動き検知加速度計の開発は、これまでのように装置に情報入力するように容易に、携帯装置に命令し且つ／又はデータ入力することに使用できる。例えば、ゼット等に付与された米国特許第５，８６４，６３５号は、スタイラスによって一組のストローク入力を検出し、そのストロークをジェスチャか手書き動作のいずれかにカテゴリー分けするための方法及びシステムを開示している。高橋等に付与された米国特許第５，５８３，５４３号は、ジェスチャコマンド判定部を有する処理装置を開示している。ジェスチャコマンド判定部は、線画の軌跡座標を使用してジェスチャコマンドを認識する。データは、ペンと画面との間の位置関係を使用して入力される。キラリー等に付与された米国特許第６，２４９，６０６号は、ジェスチャ認識用の方法及びシステムを開示している。この場合、ジェスチャを追跡及び記録することに、カーソル指向装置、例えばマウスが使用される。
【発明の開示】
【発明が解決しようとする課題】
【０００５】
しかしながら、これらのシステムは、コマンド制御データ入力用に追加的携帯要素を必要とする。更には、これらの装置の動き検知要素は、スタイラス、ペン、マウス等の相対移動にのみ依存する。
従って、携帯装置自体を使用するコマンド制御及びデータ入力用の方法、装置及びシステムを提供することが望ましい。更には、動き又は移動を使用するだけでなく、移動の変化率、例えば傾斜角の変化率、及び／又は移動の量又は大きさも使用するコマンド制御及びデータ入力用の方法、装置及びシステムを提供することが望ましい。
【課題を解決するための手段】
【０００６】
［発明の簡単な要約］
携帯装置に対する制御コマンドを起動するための及び／又は携帯装置にデータを入力するための動き検知装置が開示される。この場合、携帯装置は、例えば、ワイヤレス装置、移動電話、コードレス電話、テキストメッセージ装置、デジタルポケットベル、トーク無線機、携帯ナビゲーションシステム、携帯音楽プレーヤ、携帯ビデオプレーヤ、携帯マルチメディアプレーヤ、携帯情報端末（ＰＤＡ）、携帯ゲーム機である。動き検知装置、例えば少なくとも１つの加速度計は、携帯装置に固定的に取り付けられるか埋設され、更に携帯装置の例えばエアーライティングかジェスチャ動作からの１，２又は３軸の動き又は移動と、携帯装置の移動の大きさ又は量と、携帯装置の移動の変化率、例えば傾斜角の変化率とを検知するか検出するために構造化及び配置されている。
【０００７】
動き検知を使用して携帯装置を制御するための又は携帯装置にデータを入力するためのシステムも開示される。このシステムは、３軸にも及ぶ携帯装置の動き又は移動、携帯装置の移動の大きさ又は量、及び携帯装置の移動の変化率を検知するか検出する動き検知装置と、動き検知装置から送信された動きデータ信号を受信するデータ収集ユニットと、予め設定された動きデータを格納するためのメモリと、制御ユニットとを備える。
【０００８】
制御ユニットは、データ収集ユニットから送信されたフィルタ処理後の信号を分析し、動き又は移動の特徴を識別し、フィルタ処理後の信号の動き又は移動の特徴を、メモリに格納されている予め設定された動きデータと比較し、フィルタ処理後の信号の動き又は移動の特徴が、予め設定された動きデータと一致したときに、予め設定された動きデータに関連した適切な出力コマンド又は入力動作を自動的に実行する。データ収集ユニットは、動きデータ信号から動き又は移動の特徴を持つ所望の信号を分離するフィルタ処理部を更に有する。
【０００９】
携帯装置の動き又は移動を使用して携帯装置を制御するための及び携帯装置にデータを入力するための方法も開示される。この方法は、動き検知装置を携帯装置内に設置又は埋設する工程と、それぞれが独得に別々の制御動作に関連した複数の予め設定された移動、動き又はジェスチャを与える工程と、携帯装置の動き、移動、及び移動又は動きの変化率を動き検知装置で検出する工程と、検出された動き、移動、及び移動又は動きの変化率を前記複数の予め設定された動きと比較する工程と、検出された動き、移動、及び移動又は動きの変化率に関連した別々の制御動作又はデータ入力を起動する工程とを備える。
【００１０】
この発明の前述の及び他の目的、特徴及び利点は、添付図面に描かれているような発明の好ましい実施形態の以下の更に特別な説明から明らかになるであろう。図面では、同様の参照符号は、異なる図を通して同じ部分を指している。図形は必ずしも比例しているのではなく、発明の原理を描くことに重きがおかれている。
更に、この発明は、図面に関連した発明の詳細な説明を参照することによって一層十分に理解されるであろう。
【発明を実施するための最良の形態】
【００１１】
［発明の詳細な説明］
動き検知装置又は動きセンサ、例えば、加速度計、歪みゲージ、圧電素子、ピエゾ抵抗素子、容量素子、機械的スイッチ、ボール・チューブ装置、ジャイロスコープ、コンパス、磁気装置、光学装置、及び赤外線装置等は、それらが固定的に取り付けられる物体の動きを検出するための手段として、この技術分野では周知である。図１に示すように、動き検知装置は、移動する物体１０の加速度を測定することによって、１，２又は３軸の移動を、各軸毎に時間に対して検出することができ、それから速度及び距離関係が、例えば数学的積分によって求められる。
【００１２】
例えば、物体１０に加わる重力（特別なタイプの加速度）を測定することによって、加速度の方向に対する物体１０の方位及び角度（θ）を求めることができる。よって、加速度計は、加速度（重力加速度を含む）、速度、及び距離だけでなく、傾斜、傾角、自由落下、衝撃、及び振動を検出することにも使用できる。この発明は、動き検知装置として加速度計を使用して説明されているが、この発明は、それに対して構築されたり限定されるべきものではない。
【００１３】
例えばエアーライティングやハンドジェスチャ等からの全ての動き又は移動は、それに関連した独得な加速度、速度及び位置データの特徴を有することが知られているので、ユーザ定義入力の信号応答、例えばエアーライティング又はハンドジェスチャからの動きを、信号応答のデータベースと比較することができる。その比較の結果は、携帯装置に対するコマンド又は機能を起動又はトリガすることに使用できる。
【００１４】
従来技術は、装置を傾斜させるか、そうでなければ単純な動きで移動させることによって、例えばメニューの次の選択に進むか、あるいはメニューを一定の率でスクロールするように制御可能なワイヤレス装置を説明しているが、この発明は、請求の範囲に記載されているように、動き又は移動の量又は大きさや、動き又は移動の変化率、例えば傾斜角の変化率等によってワイヤレス及び非ワイヤレス（即ち、配線された）携帯装置を制御する。実際に、携帯装置は、動き又は移動を検出することによってだけでなく、携帯装置の動き又は移動の量又は大きさを測定することによって、あるいは動き又は移動の変化率を測定することによって制御される。よって、変化の率と移動の大きさはまた、データ入力を制御することに、また機能の実行を制御することに使用される。
【００１５】
従来技術は、単純な動き検出を説明することもできるが、この実施形態は、機能及びコマンドを実行するための全動き情報、例えば変化率の使用を説明する。率の入力がないと、携帯装置の動き検知は、２〜３の単純なジェスチャに限定される。加えて、この実施形態は、携帯装置用の検索基準及びフィルタスキームを入力して、種々のデータ、ファイル及び情報を管理、検索、及び分類するためのエアーライティングの使用を実証する。
【００１６】
図２は、動き又は移動の大きさを検知することによって、特に装置の動きの変化率を検知することによって携帯装置２５を制御するためのシステム２０のブロック図である。このシステム２０は、動き検知装置２２と、データ収集装置２４と、制御器２６、例えばマイクロコントロールユニット（コントローラ）と、メモリ２８とを備える。メモリ２８は、例えば予め設定された動き、移動又はジェスチャ用の一時及び永久データ記憶装置と、アプリケーション又はドライバプログラム用の記憶装置と、アプリケーション又はドライバプログラムを実行するための一時スペース等を与える。メモリ２８は、ランダムアクセスメモリ（ＲＡＭ）、キャッシュメモリ、読み出し専用メモリ（ＲＯＭ）、フラッシュメモリ等の１以上であり得る。
【００１７】
加速度計２２は、手持ちタイプの携帯装置２５と動作的に関連するように固定的に取り付けられるか埋設される。この結果、携帯装置２５の動き又は移動は、加速度計２２の同一の移動、例えば移動又は動きの同じ大きさ及び変化率を持つ移動を生じさせる。加速度計２２は、携帯装置２５の動き又は移動を検知して、動き又は移動のアナログ又はデジタル信号データ２１をデータ収集ユニット２４に与える。
【００１８】
本発明の１つの形態では、加速度計２２は、動き又は移動の大きさ及び動き又は移動の方向を検出して記録するだけでなく、より好ましくは動き又は移動の変化率、例えば携帯装置２５が低速又は高速で回転させられているか、携帯装置２５が低速又は高速で傾けられているか等も検出して記録するように構造化及び配置されている。
【００１９】
データ収集ユニット（ＤＡＵ）２４は、動き検知装置２２から送信された信号データ２１を収集して、アナログ信号をデジタル信号に又はデジタル信号をアナログ信号に変換するか、あるいはデータ信号２１をアナログからデジタルに又はデジタルからアナログに変更することなく単に信号データ２１をその元の形態でＤＡＵ２４を通して制御器２６へ通過させる。ＤＡＵ２４は、フィルタ処理部、例えばローパスフィルタを有して、動き特徴を備えた所望の信号データ２３をデータ信号２１から分離する。ＤＡＵ２４は、これら分離されたデータ２３を制御器２６に与える。制御器２６は、ＤＡＵ２４からの分離された加速度計データ２３を分析して、動きの特徴を識別する。
【００２０】
それから制御器２６は、動き信号の特徴を、例えばジェスチャ又はエアーライティングのルックアップテーブル内のメモリ２８に格納されている予め設定された動きデータと比較する。この比較が一致を生じない場合、動き又は移動データ２１は動き検知装置２２によって再度読み出され、そしてプロセスは繰り返す。しかしながら、動き信号の特徴が一致した場合、携帯装置２５に対する適切な出力コマンドが自動的に生成されて送信される。
【００２１】
この発明の更なる開示は、その能力の例によって与えられる。例えば、ユーザが携帯装置２５のディスプレイ３２上のテキストを読んでいる間に、ディスプレイ画面３２上にフィットしないテキストのその部分をスクロールすることを望んでいる場合、傾斜角の変化率あるいは傾斜角の量又は大きさは、ディスプレイ３２を横切ってテキストのスクロール率を増加又は減少させることができる。事実、図３Ａは、ＰＤＡ２５を概ね直立した方位に保持しているユーザを示す。この方位は、第１の率ｒ１でスクロール中のテキストをユーザが読むことを可能にする。図３Ｂに示すように、ＰＤＡ２５を前方に傾けることによって、テキストのスクロール率は、第１の率ｒ１よりも速い第２の率ｒ２に増加する。この代わりに、テキストのスクロール率は、ＰＤＡ２５を、実際の傾斜角自体によって制御するのではなく、より迅速に（又はより緩慢に）傾けることによって増加できる。説明された例は、スクロール率を逆に減少することにも適用される。
【００２２】
携帯装置２５は、移動又は傾けられて、種々のコマンド機能をなすことができる。これらの機能又はコマンドは、アプリケーション、例えば電子メール、インターネット、電話、テキストメッセージ通信等に依存して変わることができると共に、使用中の携帯装置２５のタイプ、例えば移動電話、ＭＰ３プレーヤ等に依存して変わることができる。
【００２３】
図４Ａは、携帯装置、例えば４つのメニュー項目５１ａ〜５１ｄとダイヤル用パッド５２を持つ移動電話５０の模式図を示している。従来技術によると、ユーザは、移動電話５０を傾斜させるか、そうでなければ移動させて、所望のメニュー項目、例えば電話ダイヤル５１ａを選択し、また移動電話５０を再び移動させるか傾斜させて、次のメニュー項目、例えば電話帳５１ｂを選択する等、しなければならない。その結果、ユーザは、３つの明瞭に区別されるか別々の移動、ジェスチャ又は傾斜を起動して、“電話ダイヤル”５１ａから“Ｅメール”５１ｄオプションまでメニュースクロールしなければならない。
【００２４】
これに対し、本発明の１つの形態によれば、傾斜、特に傾斜の変化率は、多様な動きジェスチャをすることなく、１つのメニュー項目から他のメニュー項目に高速又は低速にスクロールすることに使用できる。従って、特別な率又は大きさでの単一の移動又は傾斜は、図４Ｂに示されるように“電話ダイヤル”５１ａから“Ｅメール”５１ｄまで連続的にスクロールすることに使用できる。そのような動き検知は、全てのコマンド及び携帯装置２５上での項目選択について使用できる。
【００２５】
本発明のもう１つの形態によれば、システム２０はまた、記憶されているテキスト又は記憶されている画像データに対し携帯装置２５が移動されること、即ち、携帯装置２５をパンすること、あるいは特にテキストを横切って又はディスプレイ画面３２にとって大きすぎるディスプレイ画像を横切って、携帯装置のディスプレイ画面３２をパンすることを可能にする。この特徴は、ユーザが携帯装置２５を移動させて、“仮想窓”を、携帯装置２５に記憶されているテキスト又は画像データの種々の領域へナビゲートすることを可能にする。従って、動き検知は、特別な画像、ドキュメント、スプレッドシート、テキスト、又は他のタイプのファイル内でナビゲートすることに使用できる。
【００２６】
図５を参照すると、この特徴は、携帯装置２５のディスプレイ３２上に完全に表示されるには大きすぎる記憶された電子画像、例えばデジタル写真をナビゲートすることに都合がよい。第１の方位で、ディスプレイ画面３２は、画像４２の第１ビュー領域４４の第１画像４３を表示することができる。携帯装置２５を１，２又は３次元的に第２の方位に移動させると、ディスプレイ画面３２は、同じ画像４２の第２ビュー領域４６の第２画像４５を表示することができる。
【００２７】
動きジェスチャ動作を上記の特徴と組み合わせて、他の機能又は特徴、例えばズームイン、ズームアウト、コピー、カット、ペースト等を特別なアプリケーション内で起動することができる。例えば、携帯装置２５は、外部入力装置、例えばマウスとして機能して、例えば“ドラッグ・アンド・ドロップ”型の動作を行うように構造化及び配置され得る。
【００２８】
図６を参照すると、“ドラッグ・アンド・ドロップ”動作を行うための本発明による携帯装置２５の使用が示されている。前述したように、携帯装置２５を１，２又は３次元的に移動させることによって、ユーザは第１ビュー領域４４の第１画像４３から第２ビュー領域４６の第２画像４５へパンすることができる。しかしながら、携帯装置２５を使用して予め指定されたジェスチャを実行した後に、携帯装置２５は、外部入力装置、例えばマウスとして使用できる。
【００２９】
このモードでは、画像４２の２つの異なるビュー領域４４及び４６を見るのではなく、予め指定されたジェスチャによって、ユーザは、第１ビュー領域４４を選択し、そして画像４３を同じ画像４２の第２ビュー領域４６に“ドラッグ・アンド・ドロップ”又は“カット・アンド・ペースト”することができる。
【００３０】
１つのアプリケーションでは、加速度計２２が動き又は移動を検出するので、予め設定されたものか又は特別なものである動き又はジェスチャが検出されるや否や、所望の機能又はアプリケーションが自動的に実行され得る。例えば、移動又は携帯電話が鳴ると、ユーザがその移動又は携帯電話を取り上げて、それをユーザの耳元に保持したときに、加速度計２２は、呼出への応答に関連した予め設定されたものか又は特別なものである動きを検出することができる。この結果、制御器２６は、ユーザが送信（ＳＥＮＤ）ボタン等を起動する必要なしに、自動的に呼出者に接続することができる。
【００３１】
逆に、加速度計２２は、移動又は携帯電話が鳴った後の運動の不存在又は欠如を検出するようにも構造化及び配置され得る。例えば、移動又は携帯電話がＯＮ状態で鳴ったが、加速度計２２が加速度信号データを検出又は記録しない場合、制御器２６は、その代わりに、可聴又は可視信号を起動又はトリガして、呼出のユーザに通知又は警告する。オプションで、制御器２６は、それから、呼出者との接続を切断し、電源を切り、及び／又は待ち受けモードに入って、電池電力を節約することができる。そのような概念は、全ての携帯装置２５に対して適用される。この場合、呼出及び／又は人的動き又はその欠如の検出の結果として、携帯装置２５は、“目覚め”、“遮断し”、又は “待ち受け”モードに入る。この特徴は、コードレス電話にとって特に都合がよい。この場合、電話は、コードレス電話が基地局受け台に置き換えられているか否かに関係なく、検出されたか検出されない動き又は移動に依存して、ターンオン又はターンオフされる。
【００３２】
別のアプリケーションでは、加速度計２２は、頭部搭載型装置（図示せず）、例えば頭部搭載型ビデオカメラ、ディスプレイ、イヤホーン、マイクロホン等の中に配設され得る。頭部搭載型装置は、ユーザ頭部の種々の動き又は移動を検出することに使用できる。この動き又は移動は、コマンドやアクションを開始することに使用できる。例えば、携帯装置２５に対しワイヤレスで接続されたイヤホーンは、予め規定されたか予め設定された動きを検出して、例えば携帯装置をターンオン又はターンオフしたり、電話に応答したり、音量を増加又は減少させたりするように構造化及び配置され得る。装置２０は、ユーザ頭部の移動が、例えばメニューをスクロールするように、あるいは画像をパン又はナビゲートするように、あるいは頭部搭載型装置によって制御される機器を制御又はプログラムするように構造化及び配置され得る。
【００３３】
更に別のアプリケーションでは、動き又はジェスチャ検知は、自動的に英数字を携帯装置２５に入力することに使用できる。例えば、携帯装置２５を使用して、英数字を空中に書くことによって（即ち、エアーライティングすることによって）、制御器２６は、例えばエアーライトされた文字をメモリ２８に記憶されている校正されたジェスチャ又は筆跡と比較することによって、書かれている文字を識別するように構造化及び配置され得る。
【００３４】
図７を参照すると、数字“６”６２をエアーライトするように移動された手持ちサイズの電話６０が示されている。加速度計２２は、データ収集ユニット２４を介して、動きデータ信号２１を制御器２６に送信する。制御器２６が、フィルタ後の加速度計データ信号２３を、メモリ２８に記憶されている適切な動き、移動又はジェスチャ文字と結びつけたら、制御器２６は数字“６”をディスプレイ画面６４上に表示する。
【００３５】
エアーライトされた文字６２がメモリ２８内のジェスチャ又は筆跡と結びつけられたら、制御器２６は、予め設定されたジェスチャ又は筆跡と一致した動作又は機能を実行する。例えば、この特徴は、ユーザが、電話番号を順次エアーライトするか、メモリ２８に記憶されている電話番号に関連した個人名を順次つづることによって、移動電話でダイヤルすることを可能にする。
【００３６】
ショートカットされたエアージェスチャ又はエアーシンボルライティングも、機能又は動作をトリガ又は起動することに使用できる。例えば、エアーライトされたハートの輪郭は、家への電話を起動することができる。エアーライティングは、検索基準又はフィルタスキームを入力することにも使用できる。例えば、ＭＰ３プレーヤ又はメディアプレーヤを使用して、歌曲の第１文字又は最初の２〜３文字を入力することにより、あるいはアーチストを演じて、データを分離したり分類することによって、英数字をエアーライトすることができる。ユーザは、追加的な文字をエアーライトして、更に情報を分離又は分類することを選択してもよい。この特徴は、何千というデータ、接触情報、歌曲、ファイル、ビデオ等が携帯装置、例えばアップル（登録商標）のｉＰｏｄ（登録商標）内に記憶され且つリストされているときは特に有用である。
【００３７】
携帯装置を、その装置自体を使用して制御するための及び／又は携帯装置に、その装置自体を使用してデータを入力するためのシステム及び装置が説明されたが、以下では携帯装置の動き又は移動を使用して、その装置を制御するための及び／又はその装置にデータを入力するため方法が説明される。図８を参照すると、第１のステップにおいて、動き検知装置、例えば加速度計等が、この技術分野で知られている手法で携帯装置内に設置又は埋設される（ステップ１）。第２のステップでは、複数の予め設定された移動、動き又はジェスチャを記憶したメモリが与えられる（ステップ２）。１つの形態において、複数の予め設定された移動、動き又はジェスチャの各々は、例えばポインタと同様に、別々の制御又は入力動作に対し独得に関連付けることができる。この結果、携帯装置の検知された動き又は移動が複数の予め設定された移動、動き又はジェスチャの１つと結びつけられているときに、予め設定された移動、動き又はジェスチャと関連した制御又は入力機能又は動作が自動的に実行される。
【００３８】
次のステップでは、動き検知装置は、携帯装置の動き又は移動を監視及び検知し、携帯装置の動き又は移動の変化率を計算及び記録する（ステップ３）。これら加速度信号データは、それから制御器に与えられ、複数の予め設定された動きと比較される（ステップ５）。オプションだが有利に、動き検知装置からの動き、移動、及び動き又は移動の変化率のデータは、分離され（ステップ４）、望ましくない雑音を除去する。その後、動き、移動、及び動き又は移動の変化率を複数の予め設定された動きと比較する（ステップ５）。
【００３９】
動き又は移動及び動きの変化率の信号データとメモリに記憶されている複数の予め設定された動きとの比較が一致を与えない場合、動き検知装置は、携帯装置の動き又は移動の監視及び検出を継続し、また携帯装置の移動又は動きの変化率を計算する（ステップ３）。しかしながら、動き又は移動及び動きの変化率と複数の予め設定された動きとの比較が一致を与える場合、制御器は、一致する予め設定された動きに関連した機能、動作、ドライバプログラム、アプリケーション等を実行する（ステップ６）。
【００４０】
この発明は上記の例示的実施形態によって説明されたが、図示の実施形態に対する変更及び変形が、ここに開示された発明概念から逸脱することなくなされうるものである点は、当業者によって理解されるであろう。従って、この発明は、添付された請求の範囲の精神及び範囲による以外、制限されるものとみなされるべきではない。
【図面の簡単な説明】
【００４１】
【図１】加速度又は重力加速度を検出する従来技術による加速度計の説明図を示す。
【図２】携帯装置を使用してデータ入力及び／又はコマンド機能を制御するための本発明による装置のブロック図を示す。
【図３Ａ】第１のテキストスクロール率を与えるように指向された本発明による携帯装置を示す。
【図３Ｂ】第２のテキストスクロール率を与えるように指向された本発明による携帯装置を示す。
【図４Ａ】携帯装置、例えば限定されるものではないが、移動電話に関してスクロール又はナビゲートする従来技術による１つの方法の模式図を示す。
【図４Ｂ】携帯装置、例えば限定されるものではないが、移動電話に関してスクロール又はナビゲートする本発明によるもう１つの方法の模式図を示す。
【図５】ディスプレイ画面にとって大きすぎるデジタル画像をパンすることに使用されている本発明による携帯装置を示す。
【図６】デジタル画像の第１ビュー領域を同じデジタル画像上の第２ビュー領域に“ドラッグ・アンド・ドロップ”するためのマウスとして使用されている本発明による携帯装置を示す。
【図７】英数字をエアーライトすることに使用されている本発明による携帯装置を示す。
【図８】携帯装置を使用してエアーライティングでデータを入力するか又は装置を制御する方法のフローチャートを与える。
【符号の説明】
【００４２】
２０  本発明のシステム
２２  動き検知装置
２４  データ収集装置
２６  制御器
【図１】
2007207228.tif 000003
【図２】
2007207228.tif 000004
【図３Ａ】
2007207228.tif 000005
【図３Ｂ】
2007207228.tif 000006
【図４Ａ】
2007207228.tif 000007
【図４Ｂ】
2007207228.tif 000008
【図５】
2007207228.tif 000009
【図６】
2007207228.tif 000010
【図７】
2007207228.tif 000011
【図８】
2007207228.tif 000012
【外国語明細書】
2007207228.tif 000013
2007207228.tif 000014
2007207228.tif 000015
2007207228.tif 000016
2007207228.tif 000017
2007207228.tif 000018
2007207228.tif 000019
2007207228.tif 000020
2007207228.tif 000021
2007207228.tif 000022
2007207228.tif 000023
2007207228.tif 000024
2007207228.tif 000025
2007207228.tif 000026
2007207228.tif 000027
2007207228.tif 000028
2007207228.tif 000029
2007207228.tif 000030
2007207228.tif 000031
2007207228.tif 000032
2007207228.tif 000033
2007207228.tif 000034
2007207228.tif 000035
2007207228.tif 000036
2007207228.tif 000037
2007207228.tif 000038